(57)【要約】【課題】平坦部分、一段窪んだ部分、手の入らない奥まった部分の各々を効果的に清掃し得る清掃具を提供する。【解決手段】側面視で略逆への字状の柄部材１の前端部１Ａに、ブラシ毛２群からなる清掃体３を周側面に備えた清掃部材４が取り付けられ、清掃部材４を柄部材１の前端部１Ａの軸芯Ｘ１周りで回転操作自在な状態で柄部材１の前端面に装着する装着手段５が設けられているとともに、清掃部材４の周側面における周方向で離間した部位には、回転操作によって先端清掃面３ａを下方に向けた状態において先端清掃面３ａが側面視で柄部材１の前端部１Ａの軸芯Ｘ１方向に平行又は略平行となるストレート型清掃体３Ａと、回転操作によって先端清掃面３ｂを下方に向けた状態において先端清掃面３ｂが側面視で柄部材１の前端部１Ａの軸芯Ｘ１方向よりも柄部材１の後端側１Ｂの軸芯Ｘ２方向に近くなる傾斜型清掃体３Ｂとが備えられている。【選択図】図５
2011010954.tif 000002
【特許請求の範囲】
【請求項１】
前端部がそれよりも後端側の長手方向の軸芯線から離れるように上方側に屈曲させた側面視で略逆への字状の柄部材の前端部に、ブラシ毛群からなる清掃体を周側面に備えた清掃部材が取り付けられている清掃具であって、
前記清掃部材を前記柄部材の前端部の軸芯周りで回転操作自在な状態で柄部材の前端面に装着する装着手段が設けられているとともに、
前記清掃部材の周側面における周方向で離間した部位には、前記回転操作によって先端清掃面を下方に向けた状態において先端清掃面が側面視で前記柄部材の前端部の軸芯方向に平行又は略平行となるストレート型清掃体と、前記回転操作によって先端清掃面を下方に向けた状態において先端清掃面が側面視で前記柄部材の前端部の軸芯方向よりも柄部材の後端側の軸芯方向に近くなる傾斜型清掃体とが備えられている清掃具。
【請求項２】
前記装着手段が、前記柄部材の前端面に柄部材の前端部の軸芯方向に沿って柄部材の後端側の下面を形成する下壁部に至る状態で窪ませた被係合凹部と、前記清掃部材の後端面に柄部材の前端部の軸芯方向に沿って突出させた係合凸部とから構成されているとともに、
前記係合凸部の先端部は、前記ストレート型清掃体の先端清掃面を下方に向けたストレート型清掃体用使用姿勢と前記傾斜型清掃体の先端清掃面を下方に向けた傾斜型清掃体用使用姿勢との夫々で前記被係合凹部の底部を構成する前記柄部材の後端側の下壁部の内面に面当接するように、少なくとも両使用姿勢における側面視の輪郭形状が柄部材の屈曲角度に等しい角度又は略等しい角度で収斂する先細り状となる形状に構成されている請求項１記載の清掃具。
【請求項３】
前記係合凸部の先端部が、前記清掃部材の回転に伴う清掃部材の姿勢変化にかかわらず、前記被係合凹部の底部を構成する前記柄部材の後端側の下壁部の内面に面当接するように、柄部材の屈曲角度に等しい角度又は略等しい角度で収斂する円錐状又は略円錐状或いは円錐台状又は略円錐台状に形成されている請求項２記載の清掃具。
【発明の詳細な説明】
【技術分野】
【０００１】
本発明は、例えば、容器類等のキッチン用品の清掃に使用される清掃具に関する。
【背景技術】
【０００２】
従来、この種の清掃具としては、前端部がそれよりも後端側の長手方向の軸芯線から離れるように上方側に屈曲させた側面視で略逆への字状の柄部材の前端部の下面に、先端清掃面が側面視で前記柄部材の前端部の軸芯方向に平行又は略平行となるようにブラシ毛群から構成されたストレート型清掃体が設けられたものがある（例えば、下記特許文献１参照）。
【０００３】
このような清掃具は、側面視で略逆への字状の柄部材の前端部の下面にストレート型清掃体が形成されているため、平坦部分を清掃する場合において、ストレート型清掃体の先端清掃面に高い押し付け力を作用させることができ、これにより、汚れを効果的に除去することができる。
【先行技術文献】
【特許文献】
【０００４】
【特許文献１】実開昭６０−１３０２９号公報
【発明の概要】
【発明が解決しようとする課題】
【０００５】
ところが、上記従来の清掃具では、一段窪んだ部分に入り込んだ汚れを掻き出すのが難しいため、窪みの存在する容器やビンなどの溝部やネジ部の清掃が難しい問題があった。また、例えば、柄部材を極力低い位置にして長手方向の長さを確保しようとすれば先端清掃面が被清掃面から離れるため、手の入らない奥まった部分の清掃も難しい問題があった。
【０００６】
本発明は、上述の如き実情に鑑みてなされたものであって、その主たる課題は、合理的な改良により、平坦部分、一段窪んだ部分、手の入らない奥まった部分の各々を効果的に清掃することのできる清掃具を提供する点にある。
【課題を解決するための手段】
【０００７】
本発明の第１特徴構成は、清掃具に係り、その特徴は、
前端部がそれよりも後端側の長手方向の軸芯線から離れるように上方側に屈曲させた側面視で略逆への字状の柄部材の前端部に、ブラシ毛群からなる清掃体を周側面に備えた清掃部材が取り付けられている清掃具であって、
前記清掃部材を前記柄部材の前端部の軸芯周りで回転操作自在な状態で柄部材の前端面に装着する装着手段が設けられているとともに、
前記清掃部材の周側面における周方向で離間した部位には、前記回転操作によって先端清掃面を下方に向けた状態において先端清掃面が側面視で前記柄部材の前端部の軸芯方向に平行又は略平行となるストレート型清掃体と、前記回転操作によって先端清掃面を下方に向けた状態において先端清掃面が側面視で前記柄部材の前端部の軸芯方向よりも柄部材の後端側の軸芯方向に近くなる傾斜型清掃体とが備えられている点にある。
【０００８】
上記構成によれば、前記の回転操作によって、ストレート型清掃体の先端清掃面を下方に向けたストレート型清掃体用使用姿勢と、傾斜型清掃体の先端清掃面を下方に向けた傾斜型清掃体用使用姿勢とに変更することができる。
【０００９】
従って、平坦部分に対しては、ストレート型清掃体用使用姿勢でもって高い押し付け力を作用させながらストレート型清掃体で清掃することができるとともに、一段窪んだ部分に対しては、傾斜型清掃体用使用姿勢でもってより下方に位置する傾斜型清掃体の先端側で窪んだ部分から汚れを掻き出すことができ、更に、手の入らない奥まった部分に対しても、柄部材を極力低い位置にして長手方向の長さを確保しながら、傾斜型清掃体の先端清掃面の全面又は略全面を接触させる形態で清掃することができる。
【００１０】
本発明の第２特徴構成は、前記装着手段が、前記柄部材の前端面に柄部材の前端部の軸芯方向に沿って柄部材の後端側の下面を形成する下壁部に至る状態で窪ませた被係合凹部と、前記清掃部材の後端面に柄部材の前端部の軸芯方向に沿って突出させた係合凸部とから構成されているとともに、
前記係合凸部の先端部は、前記ストレート型清掃体の先端清掃面を下方に向けたストレート型清掃体用使用姿勢と前記傾斜型清掃体の先端清掃面を下方に向けた傾斜型清掃体用使用姿勢との夫々で前記被係合凹部の底部を構成する前記柄部材の後端側の下壁部の内面に面当接するように、少なくとも両使用姿勢における側面視の輪郭形状が柄部材の屈曲角度に等しい角度又は略等しい角度で収斂する先細り状となる形状に構成されている点にある。
【００１１】
つまり、ストレート型清掃体用使用姿勢と傾斜型清掃体用使用姿勢の変更を可能にするのに、装着手段によって柄部材と清掃部材を相対回転させる構造と採るため、押し付け力に対する強度が低下し易いが、上記構成によれば、姿勢変更用の装着手段を構成する前記係合凸部の先端部が、前記係合凸部の先端部が、前記ストレート型清掃体用使用姿勢と前記傾斜型清掃体用使用姿勢との夫々で前記被係合凹部の底部を構成する前記柄部材の後端側の下壁部の内面に面当接するから、その面当接に伴う支持力の分だけ押し付け力に対する強度を高めることができ、実用上問題のないレベルの強度を効果的に得ることができる。
【００１２】
本発明の第３特徴構成は、前記係合凸部の先端部が、前記清掃部材の回転に伴う清掃部材の姿勢変化にかかわらず前記被係合凹部の底部を構成する前記柄部材の後端側の下壁部の内側面に当接するように、前記柄部材の屈曲角度に等しい又は略等しい角度で窄まる円錐状又は略円錐状或いは円錐台状又は略円錐台状に形成されている点にある。
【００１３】
上記構成によれば、姿勢変更用の装着手段を構成する前記係合凸部の先端部が、前記清掃部材の回転に伴う清掃部材の姿勢変化にかかわらず、装着手段を構成する前記被係合凹部の底部を構成する柄部材の後端側の下壁部の内側面に当接するから、使用時の押し付け力に加えて姿勢変更時の外力に対する強度に対する強度も高めることができる。
【図面の簡単な説明】
【００１４】
【図１】（ａ）清掃具の下面図、（ｂ）ストレート型清掃体用使用姿勢を示す清掃具の側面図
【図２】傾斜型清掃体用使用姿勢を示す清掃具の側面図
【図３】要部の縦断面図
【図４】要部の分解斜視図
【図５】（ａ）ストレート型清掃体用使用姿勢での使用状態を示す側面図、（ｂ）傾斜型清掃体用使用姿勢での使用状態を示す側面図、（ｃ）傾斜型清掃体用使用姿勢での使用状態を示す側面図
【発明を実施するための形態】
【００１５】
図１、図２は、例えば、容器類等のキッチン用品の清掃に使用される清掃具を示し、合成樹脂等からなるやや細長い柄部材１の前端部１Ａには、樹脂製等のブラシ毛２群からなる複数の清掃体３を基体の周側面４ａに備えた清掃部材４が取り付けられている。また、当該清掃具には、前記清掃部材４を前記柄部材１の前端部１Ａの長手方向の軸芯Ｘ１周りで回転操作自在な状態で柄部材１の前端面１ａに装着する装着手段５が設けられている。
【００１６】
前記柄部材１は、前端部１Ａをそれよりも後端側１Ｂの長手方向の軸芯Ｘ２線から離れるように上方側に屈曲させた側面視で略逆への字状に構成されている。
【００１７】
前記清掃部材４の周側面４ａにおける周方向で離間した部位には、前記回転操作によって先端清掃面３ａを下方に向けた状態において先端清掃面３ａが側面視で柄部材１の前端部１Ａの軸芯Ｘ１方向に平行又は略平行となるストレート型清掃体３Ａと、前記回転操作によって先端清掃面３ｂを下方に向けた状態において先端清掃面３ｂが側面視で柄部材１の前端部１Ａの軸芯Ｘ１方向よりも柄部材１の後端側１Ｂの軸芯Ｘ２方向に近くなる傾斜型清掃体３Ｂとが備えられている。
【００１８】
具体的には、前記清掃部材４の四角筒状の基体４Ａの周側面４ａにおける略１８０度位相の異なる面部の夫々に前記ストレート型清掃体３Ａと前記傾斜型清掃体３Ｂが基体４Ａの長手方向に沿う姿勢で備えられている。前記傾斜型清掃体３Ｂは、前記ストレート型清掃体３Ａよりも柔らかくなるようにストレート型清掃体３Ａよりもブラシ毛の平均長さが大きく構成されている。
【００１９】
前記装着手段５は、前記柄部材１の前端面１ａに柄部材の前端部１Ａの軸芯Ｘ１方向に沿って柄部材１の後端側１Ｂの下面１ｂを形成する下壁部１ｃに至る状態で窪ませた被係合凹部５Ａと、前記清掃部材４の後端面４ｂに柄部材１の前端部１Ａの軸芯Ｘ１方向に沿って突出させた係合凸部５Ｂとから構成されている。
【００２０】
前記係合凸部５Ａと前記被係合凹部５Ｂの対向面間（柄部材１と清掃部材４との対向面間の一例）には、柄部材４と清掃部材４との装着状態からの離脱移動を阻止する抜け止め手段６が設けられている。当該抜け止め手段６は、前記係合凸部５Ａの基端側に係合凸部５Ａの周方向に沿う姿勢で形成されたリング状の嵌合凸条６ａと、前記被係合凹部５Ｂの手前側部位に装着姿勢で前記嵌合凸条６ａが嵌り込むように形成された被嵌合凹条６ｂとから構成されている。
【００２１】
また、前記柄部材１と前記清掃部材４との対向面間には、ストレート型清掃体３Ａを下方に向けたストレート型清掃体用使用姿勢（図１（ｂ）、図５（ａ）を参照）と、傾斜型清掃体３Ｂを下方に向けた傾斜型清掃体用使用姿勢（図２、図５（ｂ）、（ｃ）を参照）の夫々で柄部材１に対する清掃部材４の姿勢を保持させる姿勢保持手段７が設けられている。
【００２２】
当該姿勢保持手段７は、図４に示すように、清掃部材４の後端面４ｂにおける係合凸部の周縁部から清掃部材４の周側面部４ｂのうちの清掃体３Ａ、３Ｂの夫々が配設された面部の側に延びる一対の凸条７ａと、柄部材１の前端面１ａにおける被係合凹部５Ａの周縁部から上下方向の各々に延びる一対の凹条７ｂとから構成されている。
【００２３】
つまり、当該姿勢保持手段７は、前記ストレート型清掃体用使用姿勢と、前記傾斜型清掃体用使用姿勢の各々で前記凸条７ａと前記凹条７ｂとが入り込むことによって前記の両使用姿勢を保持するように構成されている。そして、使用姿勢を変更する際には、清掃部材４と柄部材１とを比較的強めの力で相対捻り操作することによって、抜け止め手段６の抜け止め力に抗して清掃部材４と柄部材１を僅かに離す形態で凹条７ｂから凸条７ａが抜け出して清掃部材４と柄部材１が相対回転する。
【００２４】
すなわち、当該清掃具は、図５（ａ）に示すように、平坦部分に対しては、ストレート型清掃体用使用姿勢でもって高い押し付け力を作用させながらストレート型清掃体３Ａの先端清掃面３ａの全面又は略全面を接触させる形態で効果的に清掃することができる。
【００２５】
更に、図５（ｂ）に示すように、一段窪んだ部分に対しては、傾斜型清掃体用使用姿勢でもって、より下方に位置する傾斜型清掃体３Ｂの前端側でその一段窪んだ部分から汚れを掻き出すことができるとともに、図５（ｃ）に示すように、手の入らない奥まった部位に対しても、柄部材１を極力低い位置（被清掃面との高さが近い位置）にして全体の長手方向の長さを確保しながら、傾斜型清掃体３Ｂの先端清掃面３ｂの全面又は略全面を接触させる形態で効果的に清掃することができる。
【００２６】
図３、図４に示すように、前記係合凸部５Ｂの先端部５ｂは、前記ストレート型清掃体用使用姿勢と前記傾斜型清掃体用使用姿勢との夫々で被係合凹部５Ａの底部を構成する柄部材１の後端側１Ｂの下壁部１ｃの内面に面当接するように、少なくとも両使用姿勢における側面視の輪郭形状が柄部材１の屈曲角度αに等しい角度又は略等しい角度で収斂する先細り状となる形状に構成されている。
【００２７】
具体的には、係合凸部５Ｂの先端部５ｂは、前記清掃部材４の回転に伴う清掃部材４の姿勢変化にかかわらず被係合凹部５Ａの底部を構成する柄部材１の後端側１Ｂの下壁部１ｃの内面に面当接するように、柄部材１の屈曲角度α（つまり、柄部材１の前端部１Ａの軸芯Ｘ１と柄部材１の後端側１Ｂの軸芯Ｘ２のなす角度）に等しい角度（等しい角度又は略等しい角度の一例）で収斂する円錐状（円錐状又は略円錐状或いは円錐台状又は略円錐台状の一例）に形成されている。
【００２８】
そのため、各使用姿勢での下方側への押し付け力に対して、柄部材１の前端面１ａと清掃部材４の後端面４ｂの接当、及び、柄部材１の被係合凹部５Ａの内周側面と清掃部材４の係合凸部の外周側面との接当に加えて、柄部材１の被係合凹部５Ａの底部を構成する柄部材１の下壁部１ｃの内面と前記係合凸部５Ｂの先端円錐状部５ｂの外周面との接当でもって、実用上、姿勢変化や破損の生じない程度にまで強度を確保することができる。
【００２９】
なお、柄部材１の後端部には、スクレーパーとして使用されるヘラ部８と、壁体等の支持体側に備えられたフック部等が挿通状態で係合可能な係合用挿通口９が形成されている。
【００３０】
［その他の実施形態］
（１）前述の実施形態では、前記装着手段５が、前記柄部材１に形成された被係合凹部５Ａと、前記清掃部材４の後端面４ｂに形成された係合凸部５Ｂとから構成されている場合を例に示したが、例えば、これとは逆に、前記柄部材１に形成された係合凸部と、前記清掃部材４の後端面４ｂに形成された被係合凹部とから構成されている等であってもよい。
【００３１】
（２）前述の実施形態では、前記装着手段５を構成する柄部材１の被係合凹部５Ａが、柄部材１の後端側１Ｂの下壁部１ｃを貫通しない状態で形成されている場合を例に示したが、下壁部１ｃの少なくとも一部を貫通する状態（詳しくは、被係合凹部の底部の一部又は全部が不存となる状態）で形成されていてもよい。
【００３２】
（３）前述の実施形態では、前記係合凸部５Ｂの先端部５ｂが、柄部材１の屈曲角度αに等しい角度（等しい角度又は略等しい角度の一例）で窄まる円錐状に形成されている場合を例に示したが、柄部材１の屈曲角度αに等しい角度又は略等しい角度で窄まる略円錐状或いは円錐台状又は略円錐台状に形成されていてもよい。
【００３３】
また、前記係合凸部５Ｂの先端部５ｂは、ストレート型清掃体用使用姿勢と傾斜型清掃体用使用姿勢との夫々で被係合凹部５Ａの底部を構成する柄部材１の後端側１Ｂの下壁部１ｃの内面に面当接するように、少なくとも両使用姿勢における側面視の輪郭形状が柄部材１の屈曲角度に等しい角度又は略等しい角度で収斂する先細り形状となる部分円錐状等の形態に構成されていてもよい。
【００３４】
（４）前記抜け止め手段６、前記姿勢保持手段７の具体的構成は、前述の実施形態で示した構成に限らず、種々の構成変更が可能である。
【符号の説明】
【００３５】
１        柄部材
１Ａ      前端部
１Ｂ      後端側
１ａ      前端面
１ｃ      下壁部
２        ブラシ毛
３        清掃体
３Ａ      ストレート型清掃体
３Ｂ      傾斜型清掃体
３ａ      先端清掃面
３ｂ      先端清掃面
４        清掃部材
４ａ      周側面
５        装着手段
５Ａ      被係合凹部
５Ｂ      係合凸部
５ｂ      先端部
Ｘ１      軸芯
Ｘ２      軸芯
α        屈曲角度
【図１】
2011010954.tif 000003
【図２】
2011010954.tif 000004
【図３】
2011010954.tif 000005
【図４】
2011010954.tif 000006
【図５】
2011010954.tif 000007